(57)【要約】【課題】  一般家庭でも和室より洋室が多くなり、床が滑り易いものとなっているし、病院や公共の施設等でも床は、固くてきれいな表面でいよいよ滑り易いものとなって来ている。このような床は、足元がままならない高齢者とか、よく注意せずに走り回ったりする幼児にとっては、滑って転ぶ可能性が高く、危険なものでもあった。【解決手段】  足または靴の上に、以下のような構造の滑り止めカバー１Ａを履いて、滑るのを防止する。滑り止めカバー１Ａは、大きく分けてカバー上部２とカバー底部３とで出来ている。カバー上部２は、足の上側（甲側）を覆う部分であり、カバー底部３は、足の裏側を覆う部分である。足挿入口２Ａは、履く時に足を入れる部分である。カバー底部３は、ゴム網６を使用して作られている。このゴムが床の表面に接して滑らないので、これを履いて歩けば、歩き易いし足が滑ることはない。【選択図】        図１
0003103184.tif 000002
【実用新案登録請求の範囲】
【請求項１】
履く時に足を入れるための足挿入口を有し、足の裏以外の部分を覆うためのカバー上部と、
足の裏を覆う部分であって、ゴム網で出来ているカバー底部と
を具え、
前記カバー上部に前記カバー底部が取り付けられて構成され、足に履けるようにされていることを特徴とする滑り止めカバー。
【請求項２】
ゴム網を構成するゴムひもが、芯用繊維の表面にゴム被覆が施されて出来ていることを特徴とする請求項１記載の滑り止めカバー。
【請求項３】
履く時に足を入れるための足挿入口を有し、足の裏以外の部分を覆うためのカバー上部と、
足の裏を覆う部分であって、足の裏が見えないように覆う部材のところどころにゴム材が存在せしめられ且つ床と接する側の表面に露出するように作られているカバー底部と
を具え、
前記カバー上部に前記カバー底部が取り付けられて構成され、足に履けるようにされていることを特徴とする滑り止めカバー。
【請求項４】
履く時に足を入れるための足挿入口を有し、足の裏以外の部分を覆うためのカバー上部と、
足の裏を覆うカバー底部と
を具え、
前記カバー上部に前記カバー底部を取り付けて境界部を構成するに際し、少なくともゴム材を混えその一部が表面に露出するよう構成し、足に履けるようにされていることを特徴とする滑り止めカバー。
【請求項５】
履く時に足を入れるための足挿入口を有し、少なくとも一部にゴムひもが使われて構成されている網で、全体として足を覆う形状に作られていることを特徴とする滑り止めカバー。
【考案の詳細な説明】
【技術分野】
【０００１】
本考案は、床で足が滑るのを防止するための滑り止めカバーに関するものである。
【背景技術】
【０００２】
最近は日本でも、生活様式の変化と共に、和室より洋室が多くなって来ている。洋室の床の表面は、和室の畳に比べて固い上に滑らかである。一方、病院や公共の施設等でも、床には表面が極めて平坦で且つ堅固な床材が使用されている。このような床は、掃除がし易く清潔であると共に、耐久性があり長期的に見ればコストも安くなる等の事情から、今後多くなることはあっても減ることはないと考えられる。
しかし、このような床は、正常な大人にとってはあまり危険なものではないかも知れないが、足元がままならない高齢者とか、よく注意せずに走り回ったりする幼児にとっては、滑って転んでしまうこともあり、危険なものでもあった。
【考案の開示】
【考案が解決しようとする課題】
【０００３】
高齢化社会を迎えて高齢者が多くなっており、高齢者の転倒事故はしばしば耳にするところである。高齢者が転倒した場合、骨折してしまうことが往々にしてあるが、骨折を機に寝たきりになってしまうこともある。そうなると、本人はもとより、まわりの家族も大変な負担となる。また、幼児の場合、体重の割に頭が重いので、転倒したとき頭を打つ可能性が多く、後に深刻な影響を残すこともある。
このような転倒を防止するためには、種々の対策を講じる必要があるわけであるが、今行われていることは、せいぜい壁際に手摺りを設けたりする程度であり、あまり有効な策は講じられていない。
そこで本考案は、床で滑るのを防止するため、安価で手軽な手段を提供することを目的とするものである。
【課題を解決するための手段】
【０００４】
前記課題を解決するため、本考案では、次のような滑り止めカバーを提供することとした。即ち、履く時に足を入れるための足挿入口を有し、足の裏以外の部分を覆うためのカバー上部と、足の裏を覆う部分であって、ゴム網で出来ているカバー底部とを具え、前記カバー上部に前記カバー底部が取り付けられて構成され、足に履けるようにされている滑り止めカバーである。前記ゴム網を構成するゴムひもは、全部がゴムで出来ているものであってもよいし、芯用繊維の表面にゴム被覆が施されて出来ているものであってもよい。
また、滑り止めカバーは、履く時に足を入れるための足挿入口を有し、足の裏以外の部分を覆うためのカバー上部と、足の裏を覆う部分であって、足の裏が見えないように覆う部材のところどころにゴム材が存在せしめられ且つ床と接する側の表面に露出するように作られているカバー底部とを具え、前記カバー上部に前記カバー底部を取り付けた構成のものとしてもよい。
【０００５】
あるいは、履く時に足を入れるための足挿入口を有し、足の裏以外の部分を覆うためのカバー上部と、足の裏を覆うカバー底部とを具え、前記カバー上部に前記カバー底部を取り付けて境界部を構成するに際し、少なくともゴム材を混えその一部が表面に露出するような構成のものとしてもよい。
更には、履く時に足を入れるための足挿入口を有し、少なくとも一部にゴムひもが使われて構成されている網で、全体として足を覆う形状になるよう作ったものでもよい。
【考案の効果】
【０００６】
本考案の滑り止めカバーによれば、これを足（または靴の上）に履いた場合、床に接する側の部分にゴム材が存在することになり、このゴム材が床との滑りを防いでくれる。そのため、歩くとき足が床をしっかりつかんでくれるので歩き易いし、足を滑らせて転倒することもなくなる。
【考案を実施するための最良の形態】
【０００７】
以下、本考案の実施形態を図面に基づいて詳細に説明する。
（第１の実施形態）
図１は、本考案の第１の実施形態を示す図であり、１Ａは滑り止めカバー、２はカバー上部、２Ａは足挿入口、３はカバー底部、４はひも、５はひも通し部、６はゴム網、７はゴムひもである。図１（１）は滑り止めカバー１Ａを横から見た図であり、図１（２）はカバー底部３を下から見た図である。
滑り止めカバー１Ａは、素足に直接履いたり、靴下の上に履いたりして使用する。あるいは、靴の上から履いて使用することも出来る（特に幼児の場合）。
この滑り止めカバー１Ａは、大きく分けてカバー上部２とカバー底部３とで構成されている。カバー上部２は、足の裏以外の部分（つまり、足の上側，甲側）を覆う部分であり、カバー底部３は、足の裏側を覆う部分である。
【０００８】
カバー上部２は、シート状部材（例、布，合成皮革など）で作ることも出来るし、毛糸等で編んで作ることも出来る。上の部分には足挿入口２Ａが設けられ、ここから足を入れる。その足挿入口２Ａの周辺の足首に近い部分には、履いた足から簡単に脱げないように、足に固定する手段が適宜設けられる。そのような手段として、この例では、ひも通し部５とひも４とが設けられている。履いた後、ひも４を絞ってしっかり結んで固定する。
カバー底部３は、ゴムひも７で作ったゴム網６を使用して作成する。図１（２）に示すように、底部の形のゴム網６を用意し、この縁をカバー上部２の底の縁に縫製等により固着する。
【０００９】
図２は、第１の実施形態の滑り止めカバーに使用するゴム網６を示す図であり、符号は図１のものに対応する。ゴム網６は、ゴムひも７が縦横に配設された形状とされており、その交叉部分は一体となるように製造されている。網の形状は、何もこのようなものだけに限られるわけではなく、亀の甲の形を縦方向，横方向に次々と連続させたような形状のものであってもよい。
このようなゴム網６から、必要とするサイズ（大人用サイズとか幼児用サイズとか）の大きさだけ切り出し、滑り止めカバー１Ａのカバー底部３として使用する。
【００１０】
図３は、ゴム網を構成するひも状部分の断面を示す図であり、７はゴムひも、７Ａはゴム、８Ａはゴム被覆、８Ｂは芯用繊維である。図３（１）は、ゴムひも７がゴム７Ａだけで出来ている場合、図３（２）は、ゴムひも７がゴム被覆８Ａと芯用繊維８Ｂとで出来ている場合を示している。
ゴム網６のゴムひも７は、床表面に対する滑り止めの作用を果してくれればいいから、表面さえゴムであってくれればよい。従って、図３（１）に示すように、中心まで全部ゴム７Ａで出来ていても勿論良いが、図３（２）に示すように、芯の部分には芯用繊維８Ｂ（例えば、木綿のひもとか合成繊維のひもとか）を用い、その表面にゴム被覆８Ａを施すという構造としても良い。図３（２）のようにすると、使う芯用繊維８Ｂの種類によっては強度を強くすることも出来るし、ゴムの量を減らすことによりコストを安くすることも出来る。
【００１１】
図４は、第１の実施形態の滑り止めカバーを履いた状態を示す図であり、符号は図１のものに対応し、９は靴下、１０は足である。足挿入口２Ａから足を入れて履いた後、ひも４をしっかりと結んでおく。これを履いて歩けば、カバー底部３が床面に対して滑りにくいゴムの網で出来ているので、滑って転ぶことが防止される。
【００１２】
（第２の実施形態）
図５は、本考案の第２の実施形態を示す図である。符号は図１のものに対応しており、１Ｂは滑り止めカバー、１１はゴムひも、１２は毛糸である。図５（１）は滑り止めカバー１Ｂを横から見た図であり、図５（２）はカバー底部３を下から見た図である。
図１の第１の実施形態と相違する点は、カバー底部３を足の裏が透けて見える網ではなく、足の裏が見えないように覆っている通常の底とし、その底を構成する部材のところどころにゴムひも１１が存在するようにしたという点である。この例では、カバー底部３を全体としては毛糸１２で編んで作っているが、そのところどころにゴムひも１１を編み込むという構成としている。
このように、カバー底部３のところどころにゴムひも１１を存在させ、それがカバー底部３の下表面（床と接する側の表面）に露出するようにしておけば、滑り止めカバー１Ｂを履いて歩きまわる際、そのゴムひも１１が滑り止めの作用をしてくれるので、転倒を防止してくれる。
なお、カバー底部３の全体を構成する材料としては、毛糸ではなくシート状の部材（例、布，合成皮革など）を用い、そのところどころにゴム材を固定するようにしてもよい。
【００１３】
（第３の実施形態）
図６は、本考案の第３の実施形態を示す図である。符号は図１，図５のものに対応しており、１Ｃは滑り止めカバー、１３は境界部である。この滑り止めカバー１Ｃは、カバー上部２にカバー底部３を取り付ける部分（つまり境界部１３）に、ゴムひも１１を混ぜ（編み込み）、その一部が表面に露出するようにしたものである。
この例は、毛糸で編んだカバー底部３を、同じく毛糸で編んだカバー上部２に取り付けることにより、滑り止めカバー１Ｃを作っているが、その取付けを行うに際し、毛糸１２のみならずゴムひも１１をも用いている。このような構成にすれば、足が斜めに傾いて滑りかけたときに、境界部１３のゴムひも１１が床面に接してブレーキをかけてくれるので、滑りが防止される。
前記した第２の実施形態と同様、カバー底部３を構成する材料としては、毛糸ではなく布等のシート状部材を用いてもよく、ゴムひも１１の代わりに何らかのゴム材を用いてもよい。
【００１４】
（第４の実施形態）
図７は、本考案の第４の実施形態を示す図である。符号は図４のものに対応し、１Ｄは滑り止めカバー、１４はゴムひも、１５は飾りである。
これは、滑り止めカバー１Ｄの足を包む部分を、ゴムひも１４を網状にして形成したものである。即ち、前記した他の実施形態におけるカバー上部，カバー底部の部分を、ゴムひも１４を網状にして作ったものである。これを足に履けば、足の裏に当たる部分もゴム網であるから、滑るのを防止してくれる。
なお飾り１５は、足挿入口２Ａの縁の部分に付けた飾りであり、必要に応じて設けられる。
また、滑り止めカバー１Ｄの足を包む網を、全てゴムひも１４で作らなくとも、他の繊維のひもを混ぜて作ってもよい。その場合、足の裏に当たる部分に、少なくとも一部のゴムひもが存在するように作っておけばよい。
【図面の簡単な説明】
【００１５】
【図１】本考案の第１の実施形態を示す図
【図２】第１の実施形態に使用するゴム網を示す図
【図３】ゴム網を構成するひも状部分の断面を示す図
【図４】第１の実施形態の滑り止めカバーを履いた状態を示す図
【図５】本考案の第２の実施形態を示す図
【図６】本考案の第３の実施形態を示す図
【図７】本考案の第４の実施形態を示す図
【符号の説明】
【００１６】
１Ａ，１Ｂ，１Ｃ，１Ｄ…滑り止めカバー、２…カバー上部、２Ａ…足挿入口、３…カバー底部、４…ひも、５…ひも通し部、６…ゴム網、７…ゴムひも、７Ａ…ゴム、８Ａ…ゴム被覆、８Ｂ…芯用繊維、９…靴下、１０…足、１１…ゴムひも、１２…毛糸、１３…境界部、１４…ゴムひも、１５…飾り
【図１】
0003103184.tif 000003
【図２】
0003103184.tif 000004
【図３】
0003103184.tif 000005
【図４】
0003103184.tif 000006
【図５】
0003103184.tif 000007
【図６】
0003103184.tif 000008
【図７】
0003103184.tif 000009